(57)【特許請求の範囲】
【請求項１】
設置面に載置されて側方からの外力による転倒を抑制するペットカメラに接続されるペットカメラ用の電源ケーブルであって、
導体が絶縁材で被覆された外周形状が円形あるいは平形の電線と、
可撓性を有し、内外周形状が円形に形成され、内径側に前記電線を挿通するチューブと、
弾性線材を螺旋状に巻いて内外周形状が円形に形成され、外径側が第１間隙を有して前記チューブの内径側に挿通されるとともに、内径側に第２間隙を有して前記電線を挿通するコイルスプリングと、を備える、
ペットカメラ用の電源ケーブル。
【請求項２】
前記チューブの肉厚は、０．５〜２．０ｍｍである、
請求項１に記載のペットカメラ用の電源ケーブル。
【請求項３】
前記第１間隙は、前記チューブが半径方向内側に潰れて長円となった変形状で前記コイルスプリングを前記長円の長軸方向の一端側に移動させる距離である、
請求項１または２に記載のペットカメラ用の電源ケーブル。
【請求項４】
前記コイルスプリングの隣接する線材同士は、前記チューブを貫通したペットの歯の侵入を抑制する所定の距離に設定される、
請求項１に記載のペットカメラ用の電源ケーブル。
【請求項５】
前記第２間隙は、前記チューブを貫通したペットの歯が、前記コイルスプリングの内径側に届いたときに前記電線が前記コイルスプリングの半径方向の一端側に移動する距離である、
請求項１〜４のうちいずれか一項に記載のペットカメラ用の電源ケーブル。
【請求項６】
前記チューブは、透明材料により形成される、
請求項５に記載のペットカメラ用の電源ケーブル。
【発明の詳細な説明】
【技術分野】
【０００１】
本開示は、ペットカメラ用の電源ケーブルに関する。
【背景技術】
【０００２】
従来、屋内に置かれるペット撮影用のネットワークカメラ装置が知られている（例えば特許文献１参照）。このネットワークカメラ装置は、ペットに水を飲ませる水入れ容器と、ペットにえさを食べさせる餌入れ容器と、ペットを撮影してペット画像を取得するためのカメラ部と、ネットワークに接続して、クライアントへのペット画像の送信を含むデータ通信を行うためのネットワーク部と、装置各部を制御する制御部と、少なくともカメラ部を水入れ容器または／および餌入れ容器から、上方に所定の距離隔たる態様で、保持する保持部とを備えてなる。
【先行技術文献】
【特許文献】
【０００３】
【特許文献１】特開２０１３−２２３０３３号公報
【発明の概要】
【発明が解決しようとする課題】
【０００４】
ところで、従来から知られているＡＣアダプタに使用されている電源ケーブルを上述のペット撮影用のネットワークカメラ装置（以下、単にペットカメラと称す）に使用した場合、屋内にいる猫や犬等のペットが歩いたり飛んだりして移動したり、あるいは近くで遊んだりする際に、いたずらで電線を噛むことがある。よって、ペットカメラでは、ペットが電線を噛むことで断線し、ペットを撮像し続けることができない可能性や、ペットの感電、感電に伴う漏電によって火災につながる可能性がある。これに対し、噛まれても電線を守るものとして、フレキシブル金属管（例えばケーシングチューブ）等を利用したものもあるが、これは固くて強固であるがゆえに、自在に曲がらないため、電線の配線処理が思うようにできない。これに加え、フレキシブル金属管等で保護された電線は、その固さによりペットカメラが持ち上がってしまい、ペットカメラが外力による転倒を抑制する機構を有する場合には、転倒防止機能が働かなくなることが懸念される。また、ペットカメラには、樹脂やゴムチューブだけの保護カバーが付けられた電線もあり、配線処理のしにくさや、ペットカメラの持ち上がりは抑制できるものの、強度が低く、かつ脆いために、電線の保護は十分ではなかった。
【０００５】
本開示は、上述した従来の状況に鑑みて案出され、ペットの安全性とペットカメラの転倒防止構造を働かせながら撮影の持続性を確保できるペットカメラ用の電源ケーブルを提供することを目的とする。
【課題を解決するための手段】
【０００６】
本開示は、設置面に載置されて側方からの外力による転倒を抑制するペットカメラに接続されるペットカメラ用の電源ケーブルであって、導体が絶縁材で被覆された外周形状が円形の電線と、可撓性を有し、内外周形状が円形に形成され、内径側に前記電線を挿通するチューブと、弾性線材を螺旋状に巻いて内外周形状が円形に形成され、外径側が第１間隙を有して前記チューブの内径側に挿通されるとともに、内径側に第２間隙を有して前記電線を挿通するコイルスプリングと、を備える、ペットカメラ用の電源ケーブルを提供する。
【発明の効果】
【０００７】
本開示によれば、ペットカメラ用の電源ケーブルにおいて、ペットの安全性とペットカメラの転倒防止構造を働かせながら撮影の持続性を確保できる。
【図面の簡単な説明】
【０００８】
【図１】実施の形態１に係るペットカメラ用の電源ケーブルが接続されたペットカメラを前面側より見た外観斜視図
【図２】ペットカメラ用の電源ケーブルが接続されるペットカメラの要部側断面図
【図３】図１に示したペットカメラを背面側より見た外観斜視図
【図４】電源ケーブルの平面図
【図５】ケーブル本体の要部拡大斜視図
【図６Ａ】ケーブル本体を長手方向に直交する面で切断した断面図
【図６Ｂ】ペットによる噛みつき動作時の、ケーブル本体を長手方向に直交する面で切断した断面図
【図７】ペットによる噛みつき動作を（Ａ）〜（Ｅ）の損傷の大きくなる順で表した説明図
【図８】ケーシングチューブを利用した従来の電源ケーブルに接続されたペットカメラの要部側断面図
【図９】ペットカメラ用の電源ケーブルに接続されたペットカメラの要部側断面図
【発明を実施するための形態】
【０００９】
以下、適宜図面を参照しながら、本開示に係るペットカメラ用の電源ケーブルを具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１０】
図１は、実施の形態１に係るペットカメラ用の電源ケーブル１３が接続されたペットカメラ１１を前面側より見た外観斜視図である。実施の形態１に係るペットカメラ用の電源ケーブル（以下、単に電源ケーブルとも称す）１３は、例えば屋内カメラであるペットカメラ１１に対する給電用として好適に用いられる。なお、電源ケーブル１３の使用対象はペットカメラ１１に限定されない。すなわち、電源ケーブル１３は、犬あるいは猫等のペットが接触する可能性のある空間に設置された全ての電気製品を使用対象に含めることができる。
【００１１】
電源ケーブル１３の説明に先立ち、電源ケーブル１３の接続先の電気製品の一例として用いられるペットカメラ１１についてその概略の構成を説明する。
【００１２】
ペットカメラ１１は、上部キャビネット１５の下に、円筒状のベースキャビネット１７を有する。上部キャビネット１５は、レンズ１９を備えた撮像部２１を有する。レンズ１９は、撮像筐体２３の円筒面２５に配置される。撮像部２１は、撮像開口部２７の大きさに応じた角度だけチルト機構（不図示）によりチルト回転される。
【００１３】
上部キャビネット１５の上部側面には、複数のペット検知センサ２９が設けられる。複数のペット検知センサ２９（例えば赤外線センサ）のそれぞれは、上部キャビネット１５の内方に設けられた制御部（不図示）に接続され、検知された熱源位置をペットの位置として制御部に出力する。制御部は、入力されたペットの位置に基づいて、撮像部２１の撮像領域内にペットが位置するようにチルトモータ（不図示）またはパンモータ３１（図２参照）を駆動させ、上部キャビネット１５をパン回転させ、撮像部２１をチルト回転させる。
【００１４】
図２は、ペットカメラ用の電源ケーブル１３が接続されるペットカメラ１１の要部側断面図である。このペットカメラ１１は、設置面３３（図８参照）に載置されるとともに、この設置面３３に吸着する吸盤ユニット３５を有し、側方からの外力による転倒を抑制する転倒防止機能（転倒防止構造）を備える。ベースキャビネット１７は、内方に吸盤ユニット３５を有する。ペットカメラ１１では、ベースキャビネット１７が吸盤ユニット３５を介して、例えばタンス３７（図８参照）、本棚あるいはテーブル天板等の平面の設置面３３に設置される。吸盤ユニット３５に備えられる吸盤３９は、内部空間４１が、上部開口部４３の外周部と、下部開口部４５の外周部とで開口する。ペットカメラ１１は、ユーザにより設置面３３に設置されると、吸盤ユニット３５の上部開口部４３の外周部がペットカメラ１１内に搭載されている機構系（図示略）の荷重を支持しているモータホルダ４７により塞がれる。モータホルダ４７には、例えばパンモータ３１を含むペットカメラ１１の機構部（図示略、上述参照）の荷重が加わる。なお、ペットカメラ１１の転倒防止構造（上述参照）は、上部開口部４３および下部開口部４５を有する吸盤３９が、上部開口部４３の外周部が機構部（図示略、上述参照）によって、さらに、下部開口部４５の外周部が設置面３３で密閉されることで機能することになる。
【００１５】
ペットカメラ１１は、設置面３３への設置状態において、ユーザにより垂直方向へ持ち上げられると、吸盤３９の上部開口部４３を塞いでいたモータホルダ４７が上昇する。すると、吸盤３９の内部空間４１は、上部開口部４３が開放され、吸盤３９の内部空間４１が密閉空間でなくなる。よって、ペットカメラ１１は、容易な持ち上げが可能となる。
【００１６】
一方、ペットカメラ１１は、ペットがすり寄るあるいは接触した際に、側方から上部キャビネット１５に外力を受ける。この際、吸盤ユニット３５に載置されたモータホルダ４７は、垂直方向に持ち上がらずに斜めに傾く。ペットカメラ１１は、モータホルダ４７が傾くと、吸盤３９の下部開口部４５の外周部が設置面３３から剥がされるように弾性変形する。この弾性変形は、吸盤３９における内部空間４１の容積を増加する変形となる。これにより、下部開口部４５の外周部および上部開口部４３の外周部が閉塞された吸盤３９は、内部空間４１が大気圧と比較してより負圧になり、設置面３３への吸着状態を維持できる。その結果、ペットカメラ１１は、側方の外力を受けても、転倒を抑制することができる。
【００１７】
図３は、図１に示したペットカメラ１１を背面側より見た外観斜視図である。転倒防止機能を備えるペットカメラ１１は、外部からの給電を行うための電源ケーブル１３が接続可能となっている。ベースキャビネット１７の円周方向の一部には、電源ケーブル１３の一方の端末を接続するための凹部４９が形成される。電源ケーブル１３は、一方の端末にＤＣジャック５１が取り付けられる。ＤＣジャック５１は、上部キャビネット１５の下部に配置されているＤＣジャック挿入口５３（図２参照）に、凹部４９から挿入されてペットカメラ１１に接続される。これにより、電源ケーブル１３とペットカメラ１１との電気的な導通が可能となるため、電源ケーブル１３を介してペットカメラ１１に電源が供給される。
【００１８】
図４は、電源ケーブル１３の平面図である。電源ケーブル１３は、ケーブル本体５５の一方の端末に上述のＤＣジャック５１が取り付けられる。ＤＣジャック５１は、絶縁樹脂により一体成形されるジャックハウジング５７を有する。ジャックハウジング５７は、先端に、電気接触部となるジャック５９を突出させる。このジャック５９が、ＤＣジャック挿入口５３に挿入されることにより、ペットカメラ１１は、電源ケーブル１３を介した給電が可能となる。
【００１９】
ジャックハウジング５７では、ジャック５９の突出方向と直交する方向に、軸状の電線導出部６１が形成される。ジャック５９と接続された電線６３（図５参照）は、この電線導出部６１からジャックハウジング５７の外側へ導出される。ジャックハウジング５７から導出された電線６３は、ジャックハウジング５７からの導出部分が、ジャックハウジング５７と一体に成形されたブーツ部６５により覆われる。ブーツ部６５は、ジャックハウジング５７の電線導出部６１とほぼ同一外径の筒状部から電線導出方向に向かって小径となるテーパ形状で形成される。ブーツ部６５は、複数の周溝が多段状に設けられることにより、屈曲性を有しながら、電線導出部６１の引っ張り強度、屈曲強度を高めている。
【００２０】
ケーブル本体５５の他方の端末には、ＡＣ／ＤＣ変換部（例えばＡＣアダプタ６７）が接続される。ＡＣアダプタ６７は、絶縁樹脂からなる直方体のアダプタハウジング６９を有する。アダプタハウジング６９は、内部に変換回路（不図示）を収容する。ケーブル本体５５の電線６３は、このアダプタハウジング６９の変換回路における２次電源回路に接続される。
【００２１】
電線６３は、アダプタハウジング６９の近傍においても、アダプタハウジング６９に一体に固定される上述と同様のブーツ部６５により覆われる。アダプタハウジング６９は、電線６３が接続される面と直交する１つの面に、変換回路の１次回路に接続される一対のプラグ端子７１が相互に平行となって突出して設けられる。ＡＣアダプタ６７は、例えば家庭の商用電源が供給されるコンセントに、このプラグ端子７１が挿入される。
【００２２】
コンセントにプラグ端子７１が挿入された電源ケーブル１３は、プラグ端子７１から入力されるＡＣ電源が、変換回路でＤＣ電源に変換されてジャック５９よりペットカメラ１１へ給電される。
【００２３】
なお、電源ケーブル１３は、実施の形態１において、２次電源用のケーブルとして説明するが、電源ケーブル１３は、ＤＣジャック５１やＡＣアダプタ６７を備えず、ケーブル本体５５の両端に他の形式のコネクタが接続されてもよい。また、電源ケーブル１３は、上述した２次電源用の他、電線６３の仕様を適宜変更することにより、１次電源用としても採用が可能となる。
【００２４】
図５は、ケーブル本体５５の要部拡大斜視図である。図６Ａは、ケーブル本体５５を長手方向に直交する面で切断した断面図である。図６Ｂは、ペットによる噛みつき動作時の、ケーブル本体５５を長手方向に直交する面で切断した断面図である。電源ケーブル１３のケーブル本体５５は、電線６３と、チューブ７３と、コイルスプリング７５と、により構成される。
【００２５】
電線６３は、導体７７が絶縁材７９で被覆されて円形の外周形状で形成される。なお、電線６３は、導体７７が絶縁材７９で被覆されていれば、円形以外の外周形状で形成されてもよい。例えば、電線６３は、導体７７が絶縁材７９で被覆されて平形の外周形状で形成されてもよい。電線６３は、単芯、多芯であってよい。導体７７は、単線、平行線、撚り線であってよい。導体７７の材質は、銅、アルミ等であってよい。絶縁材７９は、表面の滑性が良好なフッ素樹脂の他、塩ビ（つまりポリ塩化ビニール。以下同様。）、ポリウレタン、ポリエチレン、発泡ポリエチレン等であってよい。実施の形態１において、電線６３は、２本の導体７７を有する。なお、電線６３は、導体７７のそれぞれが内部被覆で覆われ、その外周が絶縁材７９により一括して覆われてもよい。また、電線６３は、絶縁材７９の外周がさらに外被により覆われてもよい。
【００２６】
チューブ７３は、可撓性を有し、内外周形状が円形に形成され、内径側に電線６３を挿通する。可撓性を有するチューブ７３には、特に軟質チューブが好適に用いられる。軟質チューブの素材としては、例えば軟質ビニール（塩ビ等）、ゴム、シリコンゴム等を挙げることができる。
【００２７】
実施の形態１において、チューブ７３は、肉厚が、例えば０．５〜２．０ｍｍに設定される。なお、チューブ７３の肉厚は、これに限定されない。
【００２８】
また、実施の形態１において、チューブ７３は、軟質ビニール等の透明材料により形成される。この透明材料は、内側に通されるコイルスプリング７５が視認できるものであればよい。なお、チューブ７３は、透明材料により形成されなくてもよい。
【００２９】
コイルスプリング７５は、弾性線材８１を螺旋状に巻いて内外周形状が円形に形成される。コイルスプリング７５は、外径側が第１間隙Ｓ１（図６Ａ参照）を有して、チューブ７３の内径側に挿通される。また、コイルスプリング７５は、内径側に第２間隙Ｓ２（図６参照）を有して、電線６３を挿通する。弾性線材８１の材質は、ばね鋼材、リン青銅、ステンレスの他、硬質樹脂等であってもよい。一例として、コイルスプリング７５は、線径をφ０．３〜２．０ｍｍ、外径をφ４〜１０ｍｍで構成することができる。なお、コイルスプリング７５の線径、外径は、これに限定されない。
【００３０】
実施の形態１において、コイルスプリング７５は、隣接する線材同士が、チューブ７３を貫通したペットの歯８３の侵入（図６Ｂ参照）を抑制する距離に設定されている。なお、隣接する弾性線材同士は、相互に接触してもよい。一例として、コイルスプリング７５は、弾性線材同士の平均隙間を０〜５．０ｍｍ、より好ましくは０〜１．０ｍｍとすることができる。
【００３１】
ケーブル本体５５は、電線６３、コイルスプリング７５、チューブ７３を、中心側からこの順で同心円として配置される。なお、ケーブル本体５５は、実際には、チューブ７３の内側で、重力等により、コイルスプリング７５、電線６３が偏芯した位置となる。電線６３の外径はＤ１である。コイルスプリング７５は、内径がＢ２、外径がＤ２である。チューブ７３は、内径がＢ３、外径がＤ３である。
【００３２】
チューブ７３の内径側とコイルスプリング７５の外径側との間には、チューブ７３の内径Ｂ３からコイルスプリング７５の外径Ｄ２を減じた第１間隙Ｓ１が設けられる。電線６３の外径側とコイルスプリング７５の内径側との間には、コイルスプリング７５の内径Ｂ２から電線６３の外径Ｄ１を減じた第２間隙Ｓ２が設けられる。
【００３３】
電源ケーブル１３のケーブル本体５５の第１間隙Ｓ１は、チューブ７３が半径方向内側に潰れて長円となった変形状でコイルスプリング７５を長円の長軸方向に移動させることができるのに十分な距離で設定される。
【００３４】
また、電源ケーブル１３のケーブル本体５５の第２間隙Ｓ２は、チューブ７３を貫通したペットの歯８３が、コイルスプリング７５の内径側に届いたときに電線６３が半径方向に移動することができるのに十分な距離で設定される。
【００３５】
電源ケーブル１３のケーブル本体５５は、コイルスプリング７５の両端が、ブーツ部６５のテーパ先端の外径側を内径側に挿入して、ＤＣジャック５１とＡＣアダプタ６７との間に渡って設けられる。また、電源ケーブル１３は、チューブ７３の両端が、ブーツ部６５のテーパ先端を内径側に挿入したコイルスプリング７５の外径側を覆って、ＤＣジャック５１とＡＣアダプタ６７との間に渡って設けられる。なお、チューブ７３は、その両端がブーツ部６５に挿入されない程度の長さで形成されても構わない。
【００３６】
次に、上記したペットカメラ用の電源ケーブル１３の作用を説明する。
【００３７】
実施の形態１に係るペットカメラ用の電源ケーブル１３は、設置面３３に載置されて側方からの外力による転倒を抑制するペットカメラ１１に用いられる。電源ケーブル１３は、導体７７が絶縁材７９で被覆された外周形状が円形あるいは平形の電線６３と、可撓性を有し、内外周形状が円形に形成され、内径側に電線６３を挿通するチューブ７３と、弾性線材８１を螺旋状に巻いて内外周形状が円形に形成され、外径側が第１間隙Ｓ１を有してチューブ７３の内径側に挿通されるとともに、内径側に第２間隙Ｓ２を有して電線６３を挿通するコイルスプリング７５と、を備える。
【００３８】
実施の形態１に係るペットカメラ用の電源ケーブル１３では、接続されるペットカメラ１１が、設置面３３に吸着する吸盤ユニット３５を有する。吸盤ユニット３５は、ペットにより側方からの外力をペットカメラ１１が受けると、設置面３３に吸着してペットカメラ１１の転倒を抑制することができる。
【００３９】
このペットカメラ１１に接続される電源ケーブル１３は、電線６３と、チューブ７３と、コイルスプリング７５と、第１間隙Ｓ１と、第２間隙Ｓ２と、により構成される。電線６３は、導体７７が絶縁材７９で被覆されていて、外周形状が円形あるいは平形に形成される。
【００４０】
電源ケーブル１３の最外装材となるチューブ７３は、可撓性を有し、内外周形状が円形に形成される。すなわち、チューブ７３は、円筒の内径側に電線６３を挿通する。
【００４１】
コイルスプリング７５は、電線６３とチューブ７３との間に配置される。すなわち、コイルスプリング７５は、外径側が第１間隙Ｓ１を有してチューブ７３の内径側に挿通されて、内径側に第２間隙Ｓ２を有して電線６３を挿通する。
【００４２】
従って、チューブ７３、コイルスプリング７５、電線６３は、同心円で配置が可能となる。実際には、重力の作用により、チューブ７３の内径側にコイルスプリング７５が接し、コイルスプリング７５の内径側に電線６３が接するように偏芯することがある。つまり、電源ケーブル１３は、コイルスプリング７５とチューブ７３とにより電線６３が二重に覆われて保護されている。
【００４３】
チューブ７３の内径側とコイルスプリング７５の外径側との間には、環状となる第１間隙Ｓ１が設けられる。チューブ７３の内径側に挿通されたコイルスプリング７５は、チューブ７３の内径側に当たるまで、この第１間隙Ｓ１の距離だけ、半径方向への移動が自在に可能となる。
【００４４】
また、コイルスプリング７５の内径側と電線６３の外径側との間にも、環状となる第２間隙Ｓ２が設けられる。コイルスプリング７５の内径側に挿通された電線６３は、コイルスプリング７５の内径側に当たるまで、この第２間隙Ｓ２の距離だけ、半径方向への移動が自在に可能となっている。
【００４５】
図７は、ペットによる噛みつき動作を（Ａ）〜（Ｅ）の損傷の大きくなる順で表した説明図である。この電源ケーブル１３では、最外装材のチューブ７３が外径側からペットにより噛まれると（図７（Ａ）参照）、軟質材からなるチューブ７３の外周形状が潰れて長円や楕円に変形する。長円や楕円に変形したチューブ７３の内径側には、コイルスプリング７５が退避できる（ずれたり逃げたりする）退避空間（すなわち、第１間隙Ｓ１）が長円や楕円の長軸方向に拡大する。
【００４６】
ペットが、チューブ７３をさらに噛むと、歯８３の先端がチューブ７３を貫通する（図７（Ｂ）参照）。チューブ７３を貫通した歯８３がコイルスプリング７５の外径側に当たると、チューブ７３よりも硬質な円形の外周形状を有するコイルスプリング７５は、歯８３に対して表面が滑る（図７（Ｃ）参照）。つまり、歯８３からコイルスプリング７５が拡大した第１間隙Ｓ１でずれたり逃げたりする。電源ケーブル１３は、チューブ７３に軟質材を採用し、チューブ内径よりもスプリング外径を、第１間隙Ｓ１を設けて十分に小さくしていることで、スプリングが逃げるスペースが拡大する。また、噛まれたときにチューブ７３も伸びるので、さらにコイルスプリング７５は拡大した第１間隙Ｓ１で逃げることができるようになる（図７（Ｄ）参照）。
【００４７】
ペットが、より強く、かつ深く噛んだ場合には、チューブ７３を貫通した歯８３が、コイルスプリング７５の隣接する弾性線材同士の間に入るが（図７（Ｅ）参照）、コイルスプリング７５の内径よりも電線６３の外径を、第２間隙Ｓ２を設けて十分に小さくしていることで、歯８３から電線６３が第２間隙Ｓ２の中でずれたり逃げたりして絶縁材７９の破れや貫通が抑制される。
【００４８】
例えば家庭で飼われているペットは、犬あるいは猫のように１０ｋｇ以下の小型の種類が多く、小型の犬あるいは猫の犬歯の根元のサイズはφ（つまり直径）が２〜１０ｍｍ程度であり、先端がとがった形状になっている。このため、図６Ｂに示すように、ペットの歯８３がチューブ７３を貫通した後さらに噛むことで、チューブ７３が伸びながら歯が深く刺さるときにコイルスプリング７５が歯８３に対して逃げるようにチューブ７３内で移動するためには、例えばＳ１の２倍長（つまり、２×Ｓ１）が０．３ｍｍ以上であることが望ましい。
【００４９】
これらの作用より、電源ケーブル１３は、樹脂やゴムチューブだけの保護カバーが付けられた電線６３に比べ、電線６３を傷つきにくくでき、電線６３を十分に保護できる。これにより、ペットカメラ用の電源ケーブルでは、ペットが電線６３を噛むことで断線し、ペットを撮像し続けることができなくなることを抑制できる。同時に、ペットの感電や、感電に伴う漏電によって火災につながる事態も抑制できる。
【００５０】
また、ペットカメラ用の電源ケーブルは、チューブ７３が可撓性を有する例えば軟質チューブであり、コイルスプリング７５が弾性線材８１を巻いて形成されるので、屈曲時の弾性復元力を抑えながら、大きな曲率で（すなわち、小さな曲率半径で）容易に屈曲が可能となる。
【００５１】
これにより、電源ケーブル１３は、フレキシブル金属管(ケーシングチューブ)等を利用した従来の電源ケーブルに比べ、柔らかく、曲げやすくなるので、電線６３の配線処理が容易となる。
【００５２】
図８は、ケーシングチューブ８５を利用した従来の電源ケーブル８７に接続されたペットカメラ１１の要部側断面図である。フレキシブル金属管（例えばケーシングチューブ）等を利用した従来の電源ケーブル８７は、固く、腰が強いため、曲げにくく、曲率半径Ｒ１が大きくなりやすい。従来の電源ケーブル８７は、電線６３の配線処理時に、大きな曲率半径の屈曲部８９を無理に小さく曲げると、それにより生じた弾性復元力によってペットカメラ１１を傾かせてしまう場合がある。ペットカメラ１１は、このような傾きが生じると、モータホルダ４７が浮いて吸盤ユニット３５の上部開口部４３を開放させてしまい、転倒防止機能が正常に働かなくなることが懸念される。
【００５３】
また、ケーシングチューブ８５は、鉄管の場合、チューブ７３が破れると、ペットがエッジで口の中をケガする可能性がある。また、ペットの歯８３は、人に比べると先が尖っていて、金属製の硬いケーシングチューブ８５を噛むことで、先端に荷重が集中すると、傷んだり、折れたりする可能性がある。
【００５４】
図９は、ペットカメラ用の電源ケーブルに接続されたペットカメラ１１の要部側断面図である。これに対し、ペットカメラ用の電源ケーブルは、従来の電源ケーブル８７よりも柔軟性が高く、曲げやすく、曲率半径Ｒ２が従来の電源ケーブル８７よりも容易に小さくなる（Ｒ１＞Ｒ２）。また、屈曲部８９に生じる直線に戻ろうとする弾性復元力が小さい。このため、電源ケーブル１３は、屈曲部８９に生じた弾性復元力によりペットカメラ１１が傾かず、吸盤ユニット３５を開放してしまうことがないので、転倒防止機能の発現に支障を生じさせることがない。その結果、ペットカメラ用の電源ケーブルによれば、吸盤ユニット３５を閉鎖状態に維持して、ペットカメラ１１の転倒防止機能を確実に発揮させることができる。
【００５５】
これに加え、ケーシングチューブ８５と異なり、電源ケーブル１３のコイルスプリング７５は、丸い弾性線材８１を螺旋巻きするので、エッジがなく、チューブ７３が破れても、ペットがエッジで口の中をケガすることがない。また、コイルスプリング７５は、金属製の硬いケーシングチューブ８５と異なり、噛むことによっても、弾性線材８１が滑るので、歯８３の先端に荷重が集中せず、ペットの歯８３が傷んだり、折れたりすることを抑制できる。その結果、ペットカメラ用の電源ケーブルは、硬い金属を直接噛ませる構造に比べ、ペットの歯８３を守ることもできる。
【００５６】
また、ペットカメラ用の電源ケーブルでは、チューブ７３の肉厚が、０．５〜２．０ｍｍである。
【００５７】
このペットカメラ用の電源ケーブルでは、軟質チューブからなるチューブ７３の肉厚が、０．５〜２．０ｍｍの範囲で設定される。チューブ７３は、例えば肉厚が０．５ｍｍ以下になると、ペットが、噛んだ際の破れが生じやすくなる。一方、チューブ７３は、例えば肉厚が２．０ｍｍ以上になると、強度は増すが硬く、腰がつよくなり、曲げにくくなる。そのため、屈曲部８９に生じた弾性復元力によりペットカメラ１１が傾きやすくなる。ペットカメラ用の電源ケーブルでは、軟質チューブからなるチューブ７３の肉厚を、０．５〜２．０ｍｍの範囲で設定することにより、ペットが噛んだ際の損傷を抑えながら、ペットカメラ１１の転倒防止機能をより確実に発揮させることができるようになる。
【００５８】
また、ペットカメラ用の電源ケーブルにおいて、第１間隙Ｓ１は、チューブ７３が半径方向内側に潰れて長円となった変形状でコイルスプリング７５を長円の長軸方向の一端側に移動させることができる距離である。
【００５９】
このペットカメラ用の電源ケーブルでは、チューブ７３が半径方向内側に潰れて長円となった変形状で、コイルスプリング７５を長円の長軸方向に移動させる距離で第１間隙Ｓ１が設定されている。これにより、チューブ７３が外径側からペットにより噛まれた際に、コイルスプリング７５が退避できる（ずれたり逃げたりする）退避空間がより確実に確保可能となる。
【００６０】
また、ペットカメラ用の電源ケーブルは、コイルスプリング７５の隣接する線材同士が、チューブ７３を貫通したペットの歯８３の侵入を抑制する所定の距離に設定される。
【００６１】
このペットカメラ用の電源ケーブルでは、コイルスプリング７５の隣接する線材同士が、ペットの歯８３の侵入を抑制する距離に設定される。これにより、チューブ７３を貫通したペットの歯８３が、コイルスプリング７５の内径側に侵入しにくくなり、電線６３をより傷つきにくくすることができる。
【００６２】
また、ペットカメラ用の電源ケーブルにおいて、第２間隙Ｓ２は、チューブ７３を貫通したペットの歯８３が、コイルスプリング７５の内径側に届いたときに電線６３がコイルスプリング７５の半径方向の一端側に移動することができる距離である。
【００６３】
このペットカメラ用の電源ケーブルでは、ペットの歯８３が、コイルスプリング７５の内径側に届いたときに電線６３が半径方向に移動する距離で第２間隙Ｓ２が設定されている。これにより、ペットが、より強く、かつ深く噛んだ場合には、チューブ７３を貫通した歯８３が、コイルスプリング７５の隣接する弾性線材同士の間に入るが、歯８３から電線６３が第２間隙Ｓ２の中でずれたり逃げたりして絶縁材７９の破れや貫通がより確実に抑制可能となる。
【００６４】
また、ペットカメラ用の電源ケーブルは、チューブ７３が、透明材料により形成される。
【００６５】
このペットカメラ用の電源ケーブルでは、透明材料が、可視光の透過性を有する軟質材料となる。すなわち、チューブ７３の外径側からコイルスプリング７５が視認可能となる。ペットがチューブ７３を噛むことにより、チューブ７３に損傷の痕（例えば白濁部）が残ると、その部分での光透過性が変化し、痕のない部分に比べてコイルスプリング７５の視認性が低下する。
【００６６】
これにより、ユーザは、ペットの噛み痕があることを容易に見つけることができるようになる。さらに、噛み痕に相当するコイルスプリング７５の部分に、塑性変形（弾性線材同士の開きや間隔のバラツキ）が生じていれば、損傷が大きく、交換の必要があることにも気づくことができる。その結果、ペットの安全性と撮影の持続性を長期に渡って確保することができるようになる。
【００６７】
従って、実施の形態１に係るペットカメラ用の電源ケーブル１３によれば、ペットの安全性とペットカメラ１１の転倒防止構造を働かせながら撮影の持続性を確保することができる。
【００６８】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【産業上の利用可能性】
【００６９】
本開示は、ペットの安全性とペットカメラの転倒防止構造を働かせながら撮影の持続性を確保できるペットカメラ用の電源ケーブルとして有用である。
【符号の説明】
【００７０】
１１  ペットカメラ
１３  電源ケーブル
３３  設置面
３５  吸盤ユニット
６３  電線
７３  チューブ
７５  コイルスプリング
７７  導体
７９  絶縁材
８１  弾性線材
８３  歯
Ｓ１  第１間隙
Ｓ２  第２間隙
【要約】
【課題】ペットの安全性とペットカメラの転倒防止構造を働かせながら撮影の持続性を確保できる。
【解決手段】ペットカメラ用の電源ケーブルは、設置面に吸着する吸盤ユニットを有して側方からの外力による転倒を抑制するペットカメラに用いられる。電源ケーブルは、導体が絶縁材で被覆された外周形状が円形の電線と、可撓性を有し内外周形状が円形に形成され内径側に電線を挿通するチューブと、弾性線材を螺旋状に巻いて内外周形状が円形に形成され外径側が第１間隙を有してチューブの内径側に挿通されるとともに内径側に第２間隙を有して電線を挿通するコイルスプリングと、を備える。
【選択図】図９【図１】
0006948610.tif 000002
【図２】
0006948610.tif 000003
【図３】
0006948610.tif 000004
【図４】
0006948610.tif 000005
【図５】
0006948610.tif 000006
【図６Ａ】
0006948610.tif 000007
【図６Ｂ】
0006948610.tif 000008
【図７】
0006948610.tif 000009
【図８】
0006948610.tif 000010
【図９】
0006948610.tif 000011